(57)【要約】【課題】簡易の構成で花を装飾する位置のバリエーションを拡げるとともに、装飾された花をより長生きさせることが可能なフラワーアレンジメントユニットを提供する。【解決手段】上面を開口した容器１０は、側壁に幅方向に対向する２本のレール１４を備え、レール１４と底面１１との間には溝が形成されている。また、レール１４の中央には切欠部が設けられている。第１の接続具２０を切欠部を介して溝に挿入して、第１の接続具２０を容器１０の底面１１上の任意の位置に設置する。また、容器１０の底面１１の外側に形成された凹部に収まるようにして、第１の接続具２０の上部支持板に新たな容器１０を載置すると、容器１０を２段に設置することが可能となる。【選択図】  図１
2004166835.tif 000002
【特許請求の範囲】
【請求項１】
上面を開口した長方形状の容器と、下部支持板と上部支持板とを連結柱で連結してなる接続具とを備え、
容器の幅方向に対向する内壁面の底面よりやや上方に長手方向に延びる一対のレールを設けて底面とレールとの間に溝を形成し、
レールの一部には、溝に接続具の下部支持板が嵌合可能な切欠部を設けた
ことを特徴とするフラワーアレンジメントユニット。
【請求項２】
前記容器の底面を側面下端よりもやや上方に設けて容器外側に凹部を設けるとともに、上記上部支持板を凹部に収まるように形成した
ことを特徴とする請求項１記載のフラワーアレンジメントユニット。
【請求項３】
容器側面に掛止可能な掛止部材を備えた上部支持板と、載置した花器が倒れるのを防止するガード部材を備えた下部支持板とを連結柱で連結してなる掛止具を備えた
ことを特徴とする請求項１記載のフラワーアレンジメントユニット。
【請求項４】
上面を開口した長方形状の容器と、花等の差し込み可能な差し込み部と該差し込み部を支持する支持板とからなる差し込み具を備え、
容器の幅方向に対向する内壁面の底面よりやや上方に長手方向に延びる一対のレールを設けて底面とレールとの間に溝を形成し、
レールの一部には、溝に差し込み具の支持板が嵌合可能な切欠部を設けた
ことを特徴とするフラワーアレンジメントユニット。
【発明の詳細な説明】
【０００１】
【発明の属する技術分野】本発明は、パーティー用のフラワーアレンジメント等に利用されるフラワーアレンジメントユニットに関するものである。
【０００２】
【従来の技術】
従来、切り花を装飾するための容器として、合成樹脂により成形された生花装飾用花台に、別の合成樹脂製部材を掛合させて、生花装飾用の花台の高さを自由に選択できるようにした生花装飾用花台が知られている（特許文献１参照）。
【０００３】
また、切り花を長持ちさせるために、花器の底板に水を張り、その上に直接吸水スポンジを載置して、吸水スポンジに剣山を支持して切り花が直接水に触れないようにして切り花を長持ちさせるようにした花器が知られている（特許文献２参照）。
【０００４】
【特許文献１】
特開平１１−２９０１８１号公報
【０００５】
【特許文献２】
特開平９−１６８４６３号公報
【０００６】
【発明が解決しようとする課題】
しかしながら、上記特許文献１の生花装飾用花台では、花台の高さを自由に変えられるとしても、花台の位置を任意に変えることはできず、自由にフラワーアレンジメントすることができなかった。上記特許文献２の花器においては、水を腐らせず且つ切り花の寿命を延ばすために、特別に水槽と滴下口を設けて吸水量を制御しなければならなかった。また、吸水スポンジを水に直接つけるため、吸水スポンジが水を吸いすぎてしまい、水を頻繁に補給しなければならなかった。
【０００７】
本発明は、上記事情に鑑みてなされたものであり、その目的とするところは、簡易の構成で花を装飾する位置のバリエーションを拡げるとともに、装飾された花をより長生きさせることが可能なフラワーアレンジメントユニットを提供することにある。
【０００８】
【課題を解決するための手段】
上記目的を達成するために、請求項１の発明では、上面を開口した長方形状の容器と、下部支持板と上部支持板とを連結柱で連結してなる接続具とを備え、容器の幅方向に対向する内壁面の底面よりやや上方に長手方向に延びる一対のレールを設けて底面とレールとの間に溝を形成し、レールの一部には、溝に接続具の下部支持板が嵌合可能な切欠部を設けている。
【０００９】
これにより、接続具は、溝に下部支持板を挿入して容器に設置したときに容器底面上をレールに沿って任意に移動させることが可能となる。また、そのとき、上部支持板の上には花器等を載せることができる。
【００１０】
また、請求項２の発明では、請求項１記載のフラワーアレンジメントユニットにおいて、前記容器の底面を側面下端よりもやや上方に設けて容器外側に凹部を設けるとともに、上記上部支持板を凹部に収まるように形成している。
【００１１】
これにより、接続具を容器の溝に設置すれば、上部支持板の上に新たに別の容器を載置して上下２段に容器を設置することが可能となる。
【００１２】
また、請求項３の発明では、請求項１記載のフラワーアレンジメントユニットにおいて、容器側面に掛止可能な掛止部材を備えた上部支持板と、載置した花器が倒れるのを防止するガード部材を備えた下部支持板とを連結柱で連結してなる掛止具を備えている。
【００１３】
これにより、下部支持板上に花器を載せた掛止具を容器の側面に掛止することができる。
【００１４】
また、請求項４の発明では、上面を開口した長方形状の容器と、花等の差し込み可能な差し込み部と該差し込み部を支持する支持板とからなる差し込み具を備え、容器の幅方向に対向する内壁面の底面よりやや上方に長手方向に延びる一対のレールを設けて底面とレールとの間に溝を形成し、レールの一部には、溝に差し込み具の支持板が嵌合可能な切欠部を設けている。
【００１５】
これにより、差し込み具を容器の溝に挿入すれば、差し込み具はレールに沿って任意に移動可能となる。
【００１６】
【発明の実施の形態】
本発明の第一の実施形態について以下に説明する。図１は本発明に掛るフラワーアレンジメントユニットの正面図、図２は容器の上面図、図３及び図４は第１の接続具の側面図及び底面図、図５は第２の接続具の斜視図、図６は第３の接続具の斜視図、図７は図２に示す容器の断面図である。
【００１７】
本実施形態におけるフラワーアレンジメントユニットは、上面を開口した容器１０と、複数個の第１、第２、第３の接続具２０、３０、４０とからなる。
【００１８】
容器１０は、図２に示すように、上面が開口された長方形状からなっており、底面１１と、一対の長壁１２と短壁１３に囲まれて形成されている。長壁１２の内側下方であって、底面１１から約１ｃｍ程度上側には、一対のレール１４が設けられている。レール１４は、幅１ｃｍ前後で、長壁１２にそれぞれ１本ずつ平行に設けられている。また、このレール１４は図２に示すように中央部分で分断され、切欠部１５が設けられている。レール１４と底面１１との間には長壁１２に沿って幅方向に対向する一対の溝１６が形成されている。
【００１９】
第１の接続具２０は、図３に示すように、四角形状の上部支持板２１及び下部支持板２２を２本の連結柱２３を介して接合して形成されている。上部支持板２１と下部支持板２２は同じ大きさとなっており、図４に示すように、短手寸法Ａは容器１０の内面の底面１１の短手寸法Ａと同じく設定されている。また、上下部の支持板２１，２２の大きさは、切欠部１５よりも小さく形成されている。よって下部支持板２２は、切欠部１５からレール１４と容器１０の底面１１との間に挿入可能であり、また図１の矢印で示すように容器１０の底面１１上を左右に移動可能となっている。なお、容器１０に挿入される場合上部支持板２１及び下部支持板２２はどちらでも挿入可能となっている。
【００２０】
第２の接続具３０は、図５に示すように、三角形状に形成された上部支持板３１と第１の接続具２０と同じ大きさに形成された下部支持板３２とを連結柱３３で接続して形成されている。上部支持板３１は各頂点近傍に円柱形状のガード部材３４を有し、中央に花器等を載置したときに誤って落ちてしまうのを防止するようになっている。下部支持板３２は、第１の接続具２０の下部支持板２２と同じ大きさに形成されている。よって、第２の接続具３０も切欠部１５から溝１６に下部支持板３２を挿入して容器１０の任意の位置に設置可能となっている。連結柱３３は１本の円柱からなり、上下部支持板３１，３２をそれぞれの中央で連結している。
【００２１】
第３の接続具４０は、図６に示すように上部支持板４１と三角形状からなる下部支持板４２の１頂点とを連結柱４３で連結して形成されている。上部支持板４１は、容器１０の側面に掛止可能なように側面が略Ｌ字状に形成されている。下部支持板４２は、三角形状からなり、連結柱４３と連結されていない２つの頂点近傍には、花器等を載置したときの転倒防止のためのガード部材４４が設けられている。
【００２２】
底面１１は、長壁１２及び短壁１３の下端よりも約１ｃｍ程度上の位置に設けられている。よって、図７に示すように、容器１０には底面１１と長壁１２及び短壁１３の外壁に囲まれて凹部１７が形成されている。この凹部１７の内面の短手寸法は、第１の接続具２０の上下の接続部２１，２２の短手寸法Ａの長さと同じになっている。したがって、２つ並べた第１の接続具２０の上部支持板２１の上に容器１０を安定した状態で載置することができる。
【００２３】
このようにして形成されたフラワーアレンジメントユニットは、まず下部支持板２２を切欠部１５から溝１６に挿入して、レール１４に沿って第１の接続具２０を移動させて容器１０の底面１１上に任意に設置する。更に２つめの第１の接続具２０も同様に最初に挿入した第１の接続具２０と切欠部１５を介してレール１４の反対側に挿入する。このようにして容器１０上に２つの第１の接続具２０を設置した後、別の容器１０の凹部１７にそれぞれの第１の接続具２０の上部支持板２１が収まるようにして別の容器１０を載置する。そして、第２の接続具３０を上段に載置された容器１０の溝１６に挿入して設置し、上部支持板３１上に花のアレンジされた花器を載せる。第３の接続具４０は上段に設置された容器１０の短壁１３に掛止し、下部支持板４２上に装飾したい花の入った花器を載せる。
【００２４】
次に、上下２つの容器１０に、それぞれ底面１１からレール１４の高さまで水を張る。そして、レール１４の上に吸水スポンジ１８を載せ、その吸水スポンジ１８に直接切り花を差し込んでアレンジする。吸水スポンジ１８とは、任意の位置に切り花を直接差し込んでアレンジメントすることが可能であり、しかもスポンジが水を吸水して花を一定期間維持することのできる周知のフラワーアレンジメント用具である。本実施形態において、吸水スポンジ１８は、レール１４の上に載置されており、図７に示すように、容器１０の底面１１に張られた水と接するのはレール１４の間のみとなっている。そしてこの部分でのみ吸水されるので、直接水の上に載置されるのと異なり、吸水スポンジ１８は徐々に吸水する。
【００２５】
このように、本実施形態によれば、第１の接続具２０を用いて上下２段に容器１０を設置して自由なフラワーアレンジメントをすることができる。また、上段の容器１０に第２及び第３の接続具３０，４０を用いて任意の位置に花を装飾することができる。更に、容器１０内にフラワーアレンジメントを実施するとき、吸水スポンジ１８が大量の水を一度に吸水してその後水分が蒸発してしまうことがなく、吸水スポンジ１８が長時間湿った状態にあるので、水を頻繁に補給する必要がなくなるとともに、切り花を長生きさせることが可能となる。
【００２６】
次に図８及び図９を用いて本発明の第２の実施形態について以下に説明する。図８は差し込み具の斜視図、図９は第２の実施形態におけるフラワーアレンジメントユニットの正面図である。
【００２７】
本実施形態におけるフラワーアレンジメントユニットは、第１の接続具２０の他に、差し込み具５０を備えたものである。それ以外の構成は、前記第１の実施形態と同様である。
【００２８】
差し込み具５０は、容器１０と接続する下部支持板５１と、花などを差し込んで装飾する差し込み部５２とから構成される。下部支持板５１は、差し込み部５２を支持するように差し込み部５２の下端に設けられている。下部支持板５１の形状は、第１の接続具２０の下部支持板２２と同様となっている。即ち、図６に示すように、一方の幅は、容器１０の底面１１の短手寸法Ａと同じ長さになっている。差し込み部５２は、図８に示すように、上面を開口し、円柱を斜めに傾斜したような形状になっており、下部支持板５１の上面中央に形成されている。この差し込み部５２は、開口された上面から水を入れ、花を差し込めるようになっている。
【００２９】
本実施形態においては、差し込み具５０は、容器１０の切欠部１５からレール１４の下に下部支持板５１を挿入して、容器１０の底面１１上を左右方向に任意に移動させることが可能に設置される。
【００３０】
このように形成されたフラワーアレンジメントユニットは、図９に示すように、切欠部１５からレール１４の下差し込み具５０の下部支持板５１を挿入して容器１０内の任意の位置に設置する。そして、差し込み部５２内に水を入れ、容器１０には、水を入れてからレール１４の上に吸水スポンジ１８を載せて、吸水スポンジ１８及び差し込み部５２に花を装飾してフラワーアレンジメントを行う。
【００３１】
このように、本実施形態によれば、容器１０とは別に差し込み部５２にも花を装飾することができるので、簡易な構成でさまざまなフラワーアレンジメントを行うことができる。
【００３２】
また、上記実施形態において示したものだけに限らず、容器１０、第１、第２、第３の接続具２０，３０，４０及び差し込み具５０をさまざまに組み合わせて、位置及び高さを任意に設定してフラワーアレンジメントを行うことが可能である。
【００３３】
【発明の効果】
以上詳述したように、請求項１の発明によれば、溝に下部支持板を挿入して容器に設置すれば、接続具は容器の底面上をレールに沿って任意に移動させることが可能となる。また、そのとき、上部支持板の上には花器等を載せることができる。したがって、フラワーアレンジメントの装飾のバリエーションを拡げることができる。また、レール上に吸水スポンジを載置すれば、水中に吸水スポンジを入れる場合と比べて吸水スポンジが水を吸いすぎることがなく、長時間吸水スポンジが湿った状態にあるので、水を補給する回数を減らしても、花を長生きさせることができる。したがって、パーティー等で長時間花を飾っておくことができ、大変便利である。
【００３４】
また、請求項２記載の発明によれば、請求項１記載の効果に加え、接続具を容器の溝に設置すれば、上部支持板の上に新たに別の容器を載置して上下２段に容器を設置することが可能となっている。したがって、容器の高さを任意に設定できるので、フラワーアレンジメントの装飾のバリエーションを更に拡げることができる。
【００３５】
また、請求項３の発明によれば、請求項１記載の効果に加え、下部支持板上に花を載せた掛止具を容器の側面に掛止することができる。したがって、容器以外の場所にも花を装飾することができ、フラワーアレンジメントにおける装飾のバリエーションをより一層拡げることができる。
【００３６】
また、請求項４の発明によれば、差し込み具を容器の溝に挿入すれば、差し込み具はレールに沿って任意に移動可能となる。したがって、容器とは異なる高さに花を飾ることができ、フラワーアレンジメントの装飾のバリエーションを拡げることができる。特に、例えば、結婚式の場合には、この差し込み具の中に花嫁のブーケを差し込むことができるので、花嫁の持つブーケを載せるために別の容器を設ける必要がなくなり、極めて便利である。
【図面の簡単な説明】
【図１】第１の実施形態に掛るフラワーアレンジメントユニットの正面図
【図２】容器の上面図
【図３】第１の接続具の側面図
【図４】第１の接続具の底面図
【図５】第２の接続具の斜視図
【図６】第３の接続具の斜視図
【図７】図２の容器の断面図
【図８】差し込み具の斜視図
【図９】第２の実施形態に掛るフラワーアレンジメントユニットの正面図
【符号の説明】
１０…容器、１１…底面、１４…レール、１８…吸水スポンジ、２０…第１の接続具、３０…第２の接続具、４０…第３の接続具、５０…差し込み具。
【図１】
2004166835.tif 000003
【図２】
2004166835.tif 000004
【図３】
2004166835.tif 000005
【図４】
2004166835.tif 000006
【図５】
2004166835.tif 000007
【図６】
2004166835.tif 000008
【図７】
2004166835.tif 000009
【図８】
2004166835.tif 000010
【図９】
2004166835.tif 000011